(57)【要約】【課題】  多波長域の光での記録再生が可能であり、小型化によるコストダウンを図ることができるようにする。【解決手段】  ピックアップ装置１３には、多波長域のレーザ光を出射可能な光源１０１、多波長域に対応可能なコリメータレンズ１０２、および、多波長域に対応可能な対物レンズ１０３の少なくとも三者がその順番に略平行して並べられた光学系が形成されている。ビーム径変換素子駆動部１０７は、この光学系の光路１０５にビーム径変換素子１０６を出し入れすることで、この光学系における倍率を制御する。これにより、この光学系における倍率が、各波長域のレーザ光に最適な倍率にその都度調整される。本発明は、ピックアップ装置またはそれを搭載するディスクドライブ装置に適用可能である。【選択図】  図３
2005327384.tif 000002
【特許請求の範囲】
【請求項１】
第１の波長域のビーム光を利用して第１の光学ディスクに対する記録と再生を行い、第２の波長域のビーム光を利用して第２の光学ディスクに対する記録と再生を行うディスクドライブ装置において、
前記第１の波長域と前記第２の波長域のそれぞれのビーム光を出射する光源、並びに、前記第１の波長域と前記第２の波長域のそれぞれのビーム光に対応可能なコリメータレンズおよび対物レンズを少なくとも有し、前記光源から出射された前記第１の波長域または前記第２の波長域のビーム光を、前記コリメータレンズおよび前記対物レンズを介して前記第１の光学ディスクまたは前記第２の光学ディスクに集光する光学系と、
前記光学系の倍率が、前記第１の光学ディスクの記録と再生が可能な第１の倍率に調整されている場合、前記コリメータレンズから出射される前記第２の波長域のレーザ光のビーム径を変換して前記対物レンズに入射させることで、前記光学系における倍率を、前記第２の光学ディスクの記録と再生が可能な第２の倍率に変換するビーム径変換素子と、
前記ビーム径変換素子を駆動して、前記第１の光学ディスクに対する記録または再生が行われる場合には、前記光学系外の第１の位置に配置させ、前記第２の光学ディスクに対する記録または再生が行われる場合には、前記光学系における前記コリメータレンズから前記対物レンズまでの光路内の第２の位置に配置させる駆動部と
を備えることを特徴とするディスクドライブ装置。
【請求項２】
前記駆動部は、前記光学系内の前記第２の位置における光学軸方向に対して略垂直な軸を中心として、前記ビーム径変換素子を回動させることで、前記ビーム径変換素子を前記第１の位置と前記第２の位置とのうちの一方から他方へ移動させる
ことを特徴とする請求項１に記載のディスクドライブ装置。
【請求項３】
前記駆動部は、前記光学系内の前記第２の位置における光学軸方向とは異なる方向に、前記ビーム径変換素子を平行移動させることで、前記ビーム径変換素子を前記第１の位置と前記第２の位置とのうちの一方から他方へ移動させる
ことを特徴とする請求項１に記載のディスクドライブ装置。
【請求項４】
第１の波長域のビーム光を利用して第１の光学ディスクに対する記録と再生を行い、第２の波長域のビーム光を利用して第２の光学ディスクに対する記録と再生を行うディスクドライブ装置に搭載されるピックアップ装置において、
前記第１の波長域と前記第２の波長域のそれぞれのビーム光を出射する光源、並びに、前記第１の波長域と前記第２の波長域のそれぞれのビーム光に対応可能なコリメータレンズおよび対物レンズを少なくとも有し、前記光源から出射された前記第１の波長域または前記第２の波長域のビーム光を、前記コリメータレンズおよび前記対物レンズを介して前記第１の光学ディスクまたは前記第２の光学ディスクに集光する光学系と、
前記光学系の倍率が、前記第１の光学ディスクの記録と再生が可能な第１の倍率に調整されている場合、前記コリメータレンズから出射される前記第２の波長域のレーザ光のビーム径を変換して前記対物レンズに入射させることで、前記光学系における倍率を、前記第２の光学ディスクの記録と再生が可能な第２の倍率に変換するビーム径変換素子と、
前記ビーム径変換素子を駆動して、前記第１の光学ディスクに対する記録または再生が行われる場合には、前記光学系外の第１の位置に配置させ、前記第２の光学ディスクに対する記録または再生が行われる場合には、前記光学系における前記コリメータレンズから前記対物レンズまでの光路内の第２の位置に配置させる駆動部と
を備えることを特徴とするピックアップ装置。
【請求項５】
前記駆動部は、前記光学系内の前記第２の位置における光学軸方向に対して略垂直な軸を中心として、前記ビーム径変換素子を回動させることで、前記ビーム径変換素子を前記第１の位置と前記第２の位置とのうちの一方から他方へ移動させる
ことを特徴とする請求項４に記載のピックアップ装置。
【請求項６】
前記駆動部は、前記光学系内の前記第２の位置における光学軸方向とは異なる方向に、前記ビーム径変換素子を平行移動させることで、前記ビーム径変換素子を前記第１の位置と前記第２の位置とのうちの一方から他方へ移動させる
ことを特徴とする請求項４に記載のピックアップ装置。
【発明の詳細な説明】
【技術分野】
【０００１】
本発明は、ディスクドライブ装置およびピックアップ装置に関し、多波長域の光を利用した記録再生が１台で可能であり、かつ、小型化によるコストダウンを図ることが可能なディスクドライブ装置およびピックアップ装置に関する。
【背景技術】
【０００２】
近年、様々な光学ディスクが登場してきている。例えば、使用する光の波長域に注目すると、赤外色光を使用するCD(Compact Disk)、赤色光を使用するDVD(Digital Versatile Disk)、青紫色光を使用するBlu-rayといった、様々な種類の光学ディスクが登場してきている。
【０００３】
このような複数種類のうちの所定の１種類の光学ディスクの記録再生が可能なディスクドライブ装置は既に普及している（例えば、特許文献１参照）。
【０００４】
また、最近、複数種類のうちの所定の２種類以上の光学ディスクのそれぞれの記録再生が１台で可能なディスクドライブ装置（以下、多波長域対応ディスクドライブ装置と称する）も登場してきている。
【０００５】
さらに、多波長域対応ディスクドライブ装置の中には、２種類以上の波長域に対応可能なコリメータレンズや対物レンズを搭載しているものもある。
【０００６】
例えば、多波長域対応ディスクドライブ装置のひとつとして、上述した赤外色光、赤色光、および、青紫色光といった３つの波長域の全てを取り扱えるコリメータレンズや対物レンズを搭載しているものもある。即ち、多波長域対応ディスクドライブ装置のひとつとして、CD、DVD、および、Blu-rayの全てに1台で対応可能なディスクドライブ装置も登場してきている。
【０００７】
なお、このように２種類以上の波長域に対応可能なコリメータレンズや対物レンズのそれぞれを、以下、多波長域コリメータレンズ、多波長域対物レンズのそれぞれと称する。
【０００８】
このような多波長域コリメータレンズや多波長域対物レンズを搭載することで、多波長域対応ディスクドライブ装置の小型化およびそれによるコストダウンが可能になる。
【特許文献１】特開２００４−３０８３５号公報
【発明の開示】
【発明が解決しようとする課題】
【０００９】
しかしながら、光源から光学ディスクの信号面までの往路における光学倍率（一般的には、コリメータレンズの焦点距離と対物レンズの焦点距離との比で表され、以下、単に倍率と称する）は、光ディスクの種類（それが使用する波長域）によって最適値（再生可能になる倍率）が異なることが多々ある。例えば、CDやDVD（以下、２つをまとめて表現する際には、CD/DVDと称する）にとっての最適な倍率と、Blu-rayにとっての最適な倍率とは異なる。
【００１０】
従って、たとえ、多波長域コリメータレンズや多波長域対物レンズが搭載されたディスクドライブ装置であっても、CD/DVDとBlu-rayとのうちのいずれか一方の倍率のみが単に最適化されただけでは、他方の倍率は当然ながら最適化されていないことになる。その結果、他方の記録や再生が行われる場合には、その特性が劣化してしまうという課題がある。即ち、たとえ、多波長域コリメータレンズや多波長域対物レンズが搭載されていても、複数種類のうちのいずれか一種類の光ディスクについての倍率が単に最適化されただけのディスクドライブ装置では、多波長域対応ディスクドライブ装置として利用することは困難であるという課題がある。
【００１１】
この課題を解決するためには、コリメータレンズの焦点距離と、対物レンズの焦点距離とのうちのいずれか一方を可変にする必要がある。そこで、従来、次の２つの手法が考えられていた。
【００１２】
即ち、１つ目の手法とは、各波長域の光のそれぞれを出射する光源をそれぞれ設け、即ち、複数の光源を独立して設け、複数の光源のそれぞれについて、１つの多波長域コリメータレンズとの間に倍率調整用のカップリングレンズをそれぞれ個別に配置する手法である。即ち、コリメータレンズの焦点距離として、複数の倍率調整用のカップリングレンズそれぞれについての、１つの多波長域コリメータレンズとの合成焦点距離のそれぞれを個別に利用する手法（コリメータレンズの焦点距離を可変する手法）である。
【００１３】
２つ目の手法とは、多波長域対物レンズを使用せずに、各波長域のそれぞれに対応する対物レンズを設け、即ち、複数の対物レンズを設け、各波長域の光のそれぞれを、複数の対物レンズのそれぞれの手前の光路で分岐させて、対応する対物レンズに入射させる手法である。即ち、複数の対物レンズを用いることで、対物レンズの焦点距離を可変する手法である。
【００１４】
しかしながら、第１の手法と第２の手法のいずれも、多波長域対応ディスクドライブ装置自体を実現させることが可能な手法ではあるが、その小型化およびそれによるコストダウンを目的とする手法としては不適である。
【００１５】
なぜならば、１つ目の手法では、複数の倍率調整用のカップリングレンズが必須であり、光源の統一化（発光点を略同一位置とする）が困難であるからである。即ち、光源が統一化された場合、統一化された光源（略同一位置に配置された各波長域の発光点のそれぞれ）とコリメータレンズとの間の光路も共通となるが、複数の倍率調整用のカップリングレンズをこの共通光路に配置させることは困難であるからである。
【００１６】
また、２つ目の手法では、複数の対物レンズが必須になるからである。即ち、多波長域対物レンズそのものが使用できないからである。
【００１７】
本発明は、このような状況に鑑みてなされたものであり、複数種類の光学ディスクに対応可能なディスクドライブ装置（多波長域対応ディスクドライブ装置）や、それに搭載されるピックアップ装置の小型化によるコストダウンを図ることができるようにするものである。
【課題を解決するための手段】
【００１８】
本発明のディスクドライブ装置は、第１の波長域のビーム光を利用して第１の光学ディスクに対する記録と再生を行い、第２の波長域のビーム光を利用して第２の光学ディスクに対する記録と再生を行うディスクドライブ装置であって、第１の波長域と第２の波長域のそれぞれのビーム光を出射する光源、並びに、第１の波長域と第２の波長域のそれぞれのビーム光に対応可能なコリメータレンズおよび対物レンズを少なくとも有し、光源から出射された第１の波長域または第２の波長域のビーム光を、コリメータレンズおよび対物レンズを介して第１の光学ディスクまたは第２の光学ディスクに集光する光学系と、光学系の倍率が、第１の光学ディスクの記録と再生が可能な第１の倍率に調整されている場合、コリメータレンズから出射される第２の波長域のレーザ光のビーム径を変換して対物レンズに入射させることで、光学系における倍率を、第２の光学ディスクの記録と再生が可能な第２の倍率に変換するビーム径変換素子と、ビーム径変換素子を駆動して、第１の光学ディスクに対する記録または再生が行われる場合には、光学系外の第１の位置に配置させ、第２の光学ディスクに対する記録または再生が行われる場合には、光学系におけるコリメータレンズから対物レンズまでの光路内の第２の位置に配置させる駆動部とを備えることを特徴とする。
【００１９】
駆動部は、光学系内の第２の位置における光学軸方向に対して略垂直な軸を中心として、ビーム径変換素子を回動させることで、ビーム径変換素子を第１の位置と第２の位置とのうちの一方から他方へ移動させるようにすることができる。
【００２０】
駆動部は、光学系内の第２の位置における光学軸方向とは異なる方向に、ビーム径変換素子を平行移動させることで、ビーム径変換素子を第１の位置と第２の位置とのうちの一方から他方へ移動させるようにすることができる。
【００２１】
本発明のディスクドライブ装置においては、第１の波長域のビーム光を利用して第１の光学ディスクに対する記録と再生が行われ、第２の波長域のビーム光を利用して第２の光学ディスクに対する記録と再生が行われるために、次のような光学系が形成される。即ち、第１の波長域と第２の波長域のそれぞれのビーム光を出射する光源、第１の波長域と第２の波長域のそれぞれのビーム光に対応可能なコリメータレンズ、および、第１の波長域と第２の波長域のそれぞれのビーム光に対応可能な対物レンズを少なくとも有し、光源から出射された第１の波長域または第２の波長域のビーム光を、コリメータレンズおよび対物レンズを介して第１の光学ディスクまたは第２の光学ディスクに集光する光学系が形成される。そして、この光学系の倍率が、第１の光学ディスクの記録と再生が可能な第１の倍率に調整されている場合、コリメータレンズから出射される第２の波長域のレーザ光のビーム径を変換して対物レンズに入射させることで、光学系における倍率を、第２の光学ディスクの記録と再生が可能な第２の倍率に変換するビーム径変換素子が設けられる。そして、このビーム径変換素子が駆動されて、第１の光学ディスクに対する記録または再生が行われる場合には、光学系外の第１の位置に配置され、第２の光学ディスクに対する記録または再生が行われる場合には、光学系におけるコリメータレンズから対物レンズまでの光路内の第２の位置に配置される。
【００２２】
本発明のピックアップ装置は、第１の波長域のビーム光を利用して第１の光学ディスクに対する記録と再生を行い、第２の波長域のビーム光を利用して第２の光学ディスクに対する記録と再生を行うディスクドライブ装置に搭載されるピックアップ装置であって、第１の波長域と第２の波長域のそれぞれのビーム光を出射する光源、並びに、第１の波長域と第２の波長域のそれぞれのビーム光に対応可能なコリメータレンズおよび対物レンズを少なくとも有し、光源から出射された第１の波長域または第２の波長域のビーム光を、コリメータレンズおよび対物レンズを介して第１の光学ディスクまたは第２の光学ディスクに集光する光学系と、光学系の倍率が、第１の光学ディスクの記録と再生が可能な第１の倍率に調整されている場合、コリメータレンズから出射される第２の波長域のレーザ光のビーム径を変換して対物レンズに入射させることで、光学系における倍率を、第２の光学ディスクの記録と再生が可能な第２の倍率に変換するビーム径変換素子と、ビーム径変換素子を駆動し、第１の光学ディスクに対する記録または再生が行われる場合には、光学系外の第１の位置に配置させ、第２の光学ディスクに対する記録または再生が行われる場合には、光学系におけるコリメータレンズから対物レンズまでの光路内の第２の位置に配置させる駆動部とを備えることを特徴とする。
【００２３】
駆動部は、光学系内の第２の位置における光学軸方向に対して略垂直な軸を中心として、ビーム径変換素子を回動させることで、ビーム径変換素子を第１の位置と第２の位置とのうちの一方から他方へ移動させるようにすることができる。
【００２４】
駆動部は、光学系内の第２の位置における光学軸方向とは異なる方向に、ビーム径変換素子を平行移動させることで、ビーム径変換素子を第１の位置と第２の位置とのうちの一方から他方へ移動させるようにすることができる。
【００２５】
本発明のピックアップ装置においては、それが搭載されるディスクドライブ装置により、第１の波長域のビーム光を利用して第１の光学ディスクに対する記録と再生が行われ、第２の波長域のビーム光を利用して第２の光学ディスクに対する記録と再生が行われるために、次のような光学系が形成される。即ち、第１の波長域と第２の波長域のそれぞれのビーム光を出射する光源、第１の波長域と第２の波長域のそれぞれのビーム光に対応可能なコリメータレンズ、および、第１の波長域と第２の波長域のそれぞれのビーム光に対応可能な対物レンズを少なくとも有し、光源から出射された第１の波長域または第２の波長域のビーム光を、コリメータレンズおよび対物レンズを介して第１の光学ディスクまたは第２の光学ディスクに集光する光学系が形成される。そして、この光学系の倍率が、第１の光学ディスクの記録と再生が可能な第１の倍率に調整されている場合、コリメータレンズから出射される第２の波長域のレーザ光のビーム径を変換して対物レンズに入射させることで、光学系における倍率を、第２の光学ディスクの記録と再生が可能な第２の倍率に変換するビーム径変換素子が設けられている。このビーム径変換素子が駆動され、第１の光学ディスクに対する記録または再生が行われる場合には、光学系外の第１の位置に配置され、第２の光学ディスクに対する記録または再生が行われる場合には、光学系におけるコリメータレンズから対物レンズまでの光路内の第２の位置に配置される。
【発明の効果】
【００２６】
以上のごとく、本発明によれば、複数種類の光学ディスクの記録再生が１台で可能なディスクドライブ装置（多波長域対応ディスクドライブ装置）、または、その実現に必要なピックアップ装置を提供できる。さらに、小型化によるコストダウンを図ることが可能なディスクドライブ装置、または、その実現に必要なピックアップ装置を提供できる。
【発明を実施するための最良の形態】
【００２７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２９】
本発明によれば、ディスクドライブ装置が提供される。このディスクドライブ装置は、第１の波長域のビーム光を利用して第１の光学ディスク（例えば、CDまたはDVD）に対する記録と再生を行い、第２の波長域のビーム光を利用して第２の光学ディスク（例えば、Blu-ray）に対する記録と再生を行うディスクドライブ装置（例えば、図１のディスクドライブ装置１）であって、前記第１の波長域と前記第２の波長域のそれぞれのビーム光を出射する光源（例えば、図２と図３の光源１０１）、並びに前記第１の波長域と前記第２の波長域のそれぞれのビーム光に対応可能なコリメータレンズ（例えば、図２と図３のコリメータレンズ１０２）および対物レンズ（例えば、図２と図３の対物レンズ１０３）を少なくとも有し、前記光源から出射された前記第１の波長域または前記第２の波長域のビーム光を、前記コリメータレンズおよび前記対物レンズを介して前記第１の光学ディスクまたは前記第２の光学ディスクに集光する光学系（例えば、図２の光路１０４と光路１０５で形成される光学系であって、後述するように、ここでは、多波長域共通光学系と称している）と、前記光学系の倍率が、前記第１の光学ディスクの記録と再生が可能な第１の倍率に調整されている場合、前記コリメータレンズから出射される前記第２の波長域のレーザ光のビーム径を変換して前記対物レンズに入射させることで、前記光学系における倍率を、前記第２の光学ディスクの記録と再生が可能な第２の倍率に変換するビーム径変換素子（例えば、図２と図３のビーム径変換素子１０６）と、前記ビーム径変換素子を駆動し、前記第１の光学ディスクに対する記録または再生が行われる場合には、前記光学系外の第１の位置（例えば、図２に示される位置）に配置させ、前記第２の光学ディスクに対する記録または再生が行われる場合には、前記光学系における前記コリメータレンズから前記対物レンズまでの光路内の第２の位置（例えば、図３に示される位置）に配置させる駆動部（例えば、図２と図３のビーム径変換素子駆動部１０７）とを備えることを特徴とする。
【００３０】
このディスクドライブ装置の前記駆動部（例えば、図４乃至図１１に示されるビーム径変換素子駆動部１０７）は、前記光学系内の前記第２の位置における光学軸方向（例えば、図４乃至図１１のx軸方向）に対して略垂直な軸（例えば、図４に示される軸Ａ）を中心として、前記ビーム径変換素子を回動させることで、前記ビーム径変換素子を前記第１の位置と前記第２の位置とのうちの一方から他方へ移動させるようにすることができる。
【００３１】
このディスクドライブ装置の前記駆動部（例えば、図１２乃至図１５に示されるビーム径変換素子駆動部１０７、または、図１６乃至図１９に示されるビーム径変換素子駆動部１０７）は、前記光学系内の前記第２の位置における光学軸方向（例えば、図１２乃至図１９のx軸方向）とは異なる方向（例えば、図１２乃至図１９のｙ軸に水平な方向）に、前記ビーム径変換素子を平行移動させることで、前記ビーム径変換素子を前記第１の位置と前記第２の位置とのうちの一方から他方へ移動させるようにすることができる。
【００３２】
本発明によれば、ピックアップ装置が提供される。このピックアップ装置装置は、第１の波長域のビーム光を利用して第１の光学ディスク（例えば、CDまたはDVD）に対する記録と再生を行い、第２の波長域のビーム光を利用して第２の光学ディスク（例えば、Blu-ray）に対する記録と再生を行うディスクドライブ装置（例えば、図１のディスクドライブ装置１）に搭載されるピックアップ装置（例えば、図１乃至図３のピックアップ装置１３）であって、前記第１の波長域と前記第２の波長域のそれぞれのビーム光を出射する光源（例えば、図２と図３の光源１０１）、並びに、前記第１の波長域と前記第２の波長域のそれぞれのビーム光に対応可能なコリメータレンズ（例えば、図２と図３のコリメータレンズ１０２）および対物レンズ（例えば、図２と図３の対物レンズ１０３）を少なくとも有し、前記光源から出射された前記第１の波長域または前記第２の波長域のビーム光を、前記コリメータレンズおよび前記対物レンズを介して前記第１の光学ディスクまたは前記第２の光学ディスクに集光する光学系（例えば、図２の光路１０４と光路１０５で形成される光学系であって、後述するように、ここでは、多波長域共通光学系と称している）と、前記光学系の倍率が、前記第１の光学ディスクの記録と再生が可能な第１の倍率に調整されている場合、前記コリメータレンズから出射される前記第２の波長域のレーザ光のビーム径を変換して前記対物レンズに入射させることで、前記光学系における倍率を、前記第２の光学ディスクの記録と再生が可能な第２の倍率に変換するビーム径変換素子（例えば、図２と図３のビーム径変換素子１０６）と、前記ビーム径変換素子を駆動し、前記第１の光学ディスクに対する記録または再生が行われる場合には、前記光学系外の第１の位置（例えば、図２に示される位置）に配置させ、前記第２の光学ディスクに対する記録または再生が行われる場合には、前記光学系における前記コリメータレンズから前記対物レンズまでの光路内の第２の位置（例えば、図３に示される位置）に配置させる駆動部（例えば、図２と図３のビーム径変換素子駆動部１０７）とを備えることを特徴とする。
【００３３】
このピックアップ装置の前記駆動部（例えば、図４乃至図１１に示されるビーム径変換素子駆動部１０７）は、前記光学系内の前記第２の位置における光学軸方向（例えば、図４乃至図１１のx軸方向）に対して略垂直な軸（例えば、図４に示される軸Ａ）を中心として、前記ビーム径変換素子を回動させることで、前記ビーム径変換素子を前記第１の位置と前記第２の位置とのうちの一方から他方へ移動させるようにすることができる。
【００３４】
このピックアップ装置の前記駆動部（例えば、図１２乃至図１５に示されるビーム径変換素子駆動部１０７、または、図１６乃至図１９に示されるビーム径変換素子駆動部１０７）は、前記光学系内の前記第２の位置における光学軸方向（例えば、図１２乃至図１９のx軸に水平な方向）とは異なる方向（例えば、図１２乃至図１９のｙ軸に水平な方向）に、前記ビーム径変換素子を平行移動させることで、前記ビーム径変換素子を前記第１の位置と前記第２の位置とのうちの一方から他方へ移動させるようにすることができる。
【００３５】
以下、図面を参照して、本発明が適用されるディスクドライブ装置およびピックアップ装置について説明する。
【００３６】
図１は、本発明が適用されるディスクドライブ装置の外観の構成例を示す斜視図である。或いは、図１は、本発明が適用されるピックアップ装置を搭載するディスクドライブ装置の外観の構成例を示す斜視図である。
【００３７】
このディスクドライブ装置１は、例えば、多波長域対応ディスクドライブ装置として構成され、パーソナルコンピュータやＡＶ（Audio and Visual）機器（以下、これらをまとめて主装置と称する）に搭載されたり、外付けされる。
【００３８】
なお、実際には、このディスクドライブ装置１は、図示はしないが筐体（主装置本体も含む）の中に収納されることになる。
【００３９】
図１に示されるように、ディスクドライブ装置１には、ディスクトレイ１１が設けられており、そのディスクトレイ１１には、ターンテーブル１２、ピックアップ装置１３、フレキシブルプリント配線板（以下、FPCと称する）１４等から構成されるディスクドライブユニットが取り付けられている。
【００４０】
ターンテーブル１２は、図示せぬ駆動機構の制御に基づいて、それに装着された光ディスクを回転駆動する。
【００４１】
ピックアップ装置１３は、図示せぬ駆動機構の制御に基づいて、ターンテーブル１２により回転駆動される光ディスクの半径方向に移動し（以下、このような移動の動作を、送り動作と称する）、その光ディスクに対して信号の書き込みまたは読み出しの動作を行う。
【００４２】
ピックアップ装置１３と主装置との間でやり取りされる各種信号を伝送する各種信号線、例えば、光ディスクに対する信号の書き込みまたは読み出し動作の指令（信号）を伝送する信号線や、書き込みまたは読み出しの対象となる情報（信号）を伝送する信号線は、FPC１４に配線される。
【００４３】
また、このディスクトレイ１１の前面（図１中左側の面）には、筐体のトレイ出入口を開閉する略矩形平板状の前面パネル１５が取り付けられており、この前面パネル１５には、筺体からディスクトレイ１１をイジェクトする際に押圧されるイジェクト釦１６が設けられている。
【００４４】
次に、図２と図３を参照して、本発明が適用されるピックアップ装置、換言すると、本発明が適用されるディスクドライブ装置に搭載されるピックアップ装置について説明する。
【００４５】
即ち、図２と図３は、図１のピックアップ装置１３のうちの、往路に対応する部分の構成例を示している。
【００４６】
図２に示されるように、ピックアップ装置１３の往路に対応する部分には、光源１０１乃至ビーム径変換素子駆動部１０７が設けられている。
【００４７】
光源１０１は、例えば半導体レーザ装置等で構成され、ピックアップ装置１３の外部に設けられる制御部１７の制御に基づいて、複数の波長域のレーザ光のそれぞれを出射することができる。
【００４８】
例えば、ここでは、図１のディスクドライブ装置１は、CD、DVD、および、Blu-rayのそれぞれに対する記録再生を行うとする。この場合、光源１０１は、CDで使用される赤外色光、DVDで使用される赤色光、およびBlu-rayで使用される青紫色光のそれぞれを出射可能なように構成される。
【００４９】
詳細には、制御部１７は、上述した主装置またはディスクドライブ装置１に搭載され（ディスクドライブ装置１に搭載される場合についての図示はしていない）、ディスクドライブ装置１に現在装着された光ディスクが、CD、DVD、およびBlu-rayのうちのいずれであるのかを認識する。そして、制御部１７は、その認識結果（信号）をピックアップ装置１３の光源１０１とビーム幅変換素子駆動部１０７に供給する。
【００５０】
すると、光源１０１は、赤外色光、赤色光、および青紫色光のうちの、制御部１７の認識結果（信号）に対応する波長域のレーザ光を出射する。
【００５１】
コリメータレンズ１０２は、多波長域コリメータレンズであり、具体的には例えばここでは、赤外色光、赤色光、および青紫色光のそれぞれに対応可能なコリメータレンズである。同様に、対物レンズ１０３は、多波長域対物レンズであり、具体的には例えばここでは、赤外色光、赤色光、および青紫色光のそれぞれに対応可能な対物レンズである。
【００５２】
従って、光源１０１から出射された拡散拘束であるレーザ光は、その波長域によらず、コリメータレンズ１０２に入射されて平行光束として出射され、対物レンズ１０３に入射される。対物レンズ１０３に入射されたレーザ光は、図示せぬ光ディスクの信号記録面上に集光される。
【００５３】
なお、光ディスクの信号記録面上に集光されたレーザ光はそこで反射して、図示せぬ復路を通ることになる。
【００５４】
このように、本実施の形態のピックアップ装置１３の往路の部分においては、各波長域の光（例えばここでは、赤外色光、赤色光、および、青紫色光）によらず、共通の光源１０１、共通のコリメータレンズ１０２、および、共通の対物レンズ１０３が使用されている。
【００５５】
従って当然ながら、光源１０１からコリメータレンズ１０２までの光路１０４と、コリメータレンズ１０２から対物レンズ１０３までの光路１０５とは、各波長域の光（例えばここでは、赤外色光、赤色光、および、青紫色光）によらず共通光路となる。
【００５６】
なお、以下、上述したような往路についての光学系、即ち、複数の波長域のレーザ光のそれぞれが、共通の光源（図２の例では、光源１０１）から出射され、共通の多波長域コリメータレンズ（図２の例では、コリメータレンズ１０２）や共通の多波長域対物レンズ（図２の例では、対物レンズ１０３）を含む共通の光路（図２の例では、光路１０４と光路１０５）を通過して、光ディスクに導入される光学系を、多波長域共通光学系と称する。
【００５７】
ただし、ここでいう共通の光源とは、各波長域の光の出射点が厳密に一致した光源である必要はなく、各波長域の光の出射点のそれぞれが近傍に配置された光源（パッケージ）も含む。
【００５８】
このように、本実施の形態のピックアップ装置１３は、多波長域共通光学系を有しているので、従来に比較して小型化され、その結果、コスト削減が可能になる。即ち、そのピックアップ装置１３を搭載するディスクドライブ装置（例えば図１のディスクドライブ装置１）自身も、従来に比較して小型化され、その結果、コスト削減が可能になる。
【００５９】
なお、［背景技術］で上述した従来の２つの手法を適用しても、ここでいう多波長域共通光学系を形成することはできない。なぜならば、多波長域共通光学系においては、光源からコリメータレンズまでの光路（図２の例では、光路１０４）は共通光路となるが、上述したように、このような共通光路には、１つ目の手法で必須となる複数の倍率調整用のカップリングレンズの配置が困難であるからである。また、多波長域共通光学系においては、１つの多波長域対物レンズ（図２の例では、対物レンズ１０３）が使用されるが、２つ目の手法では、複数の対物レンズ（多波長域対物レンズではない）の使用が必須となるからである。
【００６０】
ただし、多波長域共通光学系を単に有しているピックアップ装置では、例えば、CD、DVD、および、Blu-rayに対応可能な多波長域対応ディスクドライブ装置に搭載することは困難であるという課題が発生する。なぜならば、上述したように、CD/DVDの倍率と、Blu-rayの倍率とは異なるからである。即ち、CD/DVDとBlu-rayとのうちのいずれか一方に最適となるような倍率で多波長域共通光学系が形成されることになるが、この場合、その倍率は固定され（一定となり）、他方にとって最適とならないからである。なお、この課題は当然ながら、その他の多波長域対応ディスクドライブ装置についても同様に発生する。
【００６１】
そこで、本願出願人は、この課題を解決するために、多波長域共通光学系を有するピックアップ装置に対して、その多波長域共通光学系における倍率を制御する機能（以下、倍率制御機能と称する）をさらに搭載させるといった手法を発明した。この手法を適用することで、複数の波長域の光（それらの光を利用する光ディスク）のそれぞれにとって最適な倍率をその都度得ることが可能になる。
【００６２】
以上の内容をまとめると、本願出願人は、多波長域対応ディスクドライブ装置の小型化を目的のひとつとし、即ち、それに伴うコストダウンを目的のひとつとして、多波長域共通光学系と倍率制御機能とを有するピックアップ装置を発明したと言える。或いは、本願出願人は、そのようなピックアップ装置を搭載する多波長域対応ディスクドライブ装置を発明したとも言える。
【００６３】
なお、倍率制御機能自体は、上述したように、対象となる各種類（各波長域）の光ディスクに対する記録と再生が可能な倍率のそれぞれを得ることが可能な機能であれば特に限定されない。
【００６４】
例えば、ここでは、上述したように、光ディスクの種類がCD、DVD、およびBlu-rayとされている。即ち、図１のディスクドライブ装置１は、CD、DVD、およびBlu-rayのそれぞれに対して記録再生が可能であるとされている。従って、このような場合には、倍率制御機能として次のような機能を採用することができる。
【００６５】
即ち、例えばいま、図２に示される多波長域共通光学系（光路１０４と光路１０５を含む光学系）における倍率が、CD/DVDにとって最適な倍率となるように形成されているとする。このような場合、図２に示されるような、倍率を変換可能な素子１０６、換言すると、ビーム径を変換可能な素子１０６（以下、ビーム径変換素子１０６と称する）をその多波長域共通光学系の光路１０５に出し入れすることで、CD/DVDにとって最適な倍率の他さらにBlu-rayにとって最適な倍率も得る機能を、倍率制御機能として採用することができる。
【００６６】
即ち、この多波長域共通光学系において、CD/DVDの記録や再生時には、ビーム径変換素子１０６を光路１０５外の第１の位置（図２に示される位置）に配置させることでCD/DVDの倍率を得て、Blu-rayの記録や再生時には、ビーム径変換素子を光路１０５内の第２の位置（図３に示される位置）に配置させることでBlu-rayの倍率を得る機能を、倍率制御機能として採用することができる。このとき、ビーム径変換素子１０６はビーム径変換素子駆動部１０７により駆動されることになる。
【００６７】
換言すると、倍率制御機能を搭載するために、本実施の形態のピックアップ装置１３には、図２に示されるようなビーム径変換素子１０６とビーム径変換素子駆動部１０７が設けられているのである。
【００６８】
ビーム径変換素子１０６は、コリメータレンズ１０２から対物レンズ１０３までの光路１０５内に配置された場合（図３に示される状態の場合）、コリメータレンズ１０２から出射されたビーム光（光束）のビーム径を変換して対物レンズ１０３に入射させる機能を有している。
【００６９】
具体的には例えばここでは、ビーム径変換素子１０６は、コリメータレンズ１０２から出射される青紫色光（Blu-ray用の波長域のレーザ光）のビーム径を変換して対物レンズ１０３に入射させることで、ここでの多波長域共通光学系（往路である光路１０４と光路１０５を含む光学系）における倍率を、Blu-rayにとって最適な倍率に変換する機能を有している。
【００７０】
従って、ビーム径変換素子１０６は、この機能さえ有していればその構成は特に限定されず、次のような様々な構成を取ることが可能である。
【００７１】
即ち、例えばビーム径変換素子１０６は、屈折力が正のレンズと負のレンズの２群からなるように構成することができる。さらに、この場合、球面収差を補正することを目的として、正または負のレンズを光学軸方向に駆動させることができるように、ビーム径変換素子１０６を構成してもよい。なお、正または負のレンズを光学軸方向に駆動させる駆動機構は、ビーム径変換素子駆動部１０７内に搭載させることも可能であるし、図示せぬ他の独立した機構として設けることも可能である。
【００７２】
また例えばビーム径変換素子１０６は、屈折力が正のレンズと負のレンズを多数張り合わせた１群からなるように構成することもできる。さらに、この場合、対物レンズ１０３の色収差を各波長域に応じて補正できるように、ビーム径変換素子１０６を構成することも可能である。
【００７３】
このようにして構成されるビーム径変換素子１０６は、ビーム径変換素子駆動部１０７により駆動される。即ち、ビーム径変換素子駆動部１０７は、制御部１７の制御に基づいてビーム径変換素子１０６を駆動することで、その位置を、コリメータレンズ１０２から対物レンズ１０３までの光路１０５外の第１の位置（図２に示される位置）と、その光路１０５内の第２の位置（図３に示される位置）とのうちのいずれか一方に配置させる。
【００７４】
以下、この例の倍率変換機能についてさらに説明する。
【００７５】
例えば、光路１０５外の第１の位置にビーム径変換素子１０６が配置されている場合（図２に示される場合）の多波長域共通光学系における倍率は、次の式（１）のように表される。なお、式（１）において、fcolはコリメータレンズ１０２の焦点距離を、fobjは対物レンズ１０３の焦点距離を、βは倍率を、それぞれ示している。
【００７６】
β  ＝  fcol/fobj      ・・・（１）
【００７７】
式（１）より明らかなように、コリメータレンズ１０２と対物レンズ１０３とを適切に選択するだけで、この多波長域共通光学系（往路である光路１０４と光路１０５を含む光学系）を、CD/DVDにとって最適な倍率となるように形成することができる。
【００７８】
このようにしてCD/DVDにとって最適な倍率となるように形成された多波長域共通光学系の光路１０５内の第２の位置にビーム径変換素子１０６を配置させることで（図３に示される状態にすることで）、この多波長域共通光学系における倍率は、次の式（２）のように変換される。なお、式（２）において、Ｋはビーム径変換素子１０６の倍率を示している。
【００７９】
β  ＝  Ｋ×fcol/fobj      ・・・（２）
【００８０】
なお、ビーム径変換素子１０６において、光源１０１側のビーム径をａと記述し、光ディスク側（対物レンズ１０３側）のビーム径をｂと記述すると、倍率Ｋは次の式（３）のように表される。
【００８１】
Ｋ  ＝  b/a      ・・・（３）
【００８２】
式（１）と式（２）とを比較すれば明らかなように、ビーム径変換素子１０６が多波長域共通光学系の光路１０５内の第２の位置（図３に示される位置）に配置されると、この多波長域共通光学系における倍率β（式（２）の倍率β）は、元の倍率（式（１）の倍率β）のＫ倍に変換される。従って、適切な倍率Ｋのビーム径変換素子１０６を採用し、そのビーム径変換素子１０６を光路１０５から抜き差しする機能を倍率制御機能として採用すれば、ピックアップ装置１３の多波長域共通光学系（往路である光路１０４と光路１０５を含む光学系）における倍率を、CD/DVDにとっても、Blu-rayにとっても最適にすることが容易にできる。
【００８３】
なお、図２の多波長域共通光学系は、上述した例では、CD/DVDにとって最適な倍率が得られるように形成さるとしたが、例えば、Blu-rayにとって最適な倍率が得られるように形成されている場合には、異なる倍率のビーム径変換素子１０６を単に使用すればよい。
【００８４】
このように、上述した例の倍率制御機能は、ビーム径を波長域（光ディスククの種類）ごとに変える自由度を持つことで、対物レンズ１０３との合成焦点距離を変える機能であると言えるので、次のような効果を奏することが可能である。即ち、その効果とは、対物レンズ１０３の見かけ上の焦点距離を波長域ごとに調整できる効果である。換言すると、その効果とは、各波長域のそれぞれについて、多波長域共通光学系における倍率をその都度調整できる効果である。
【００８５】
従って、多波長域共通光学系を有するピックアップ装置に対して、このような効果を奏することが可能な倍率制御機能を搭載させることで、即ち、図２や図３の構成のピックアップ装置１３を採用することで、そのピックアップ装置１３を多波長域対応ディスクドライブ装置（ここでは、図１のディスクドライブ装置１）に搭載することが可能になる。その結果、多波長域対応ディスクドライブ装置の小型化が可能になり、それに伴い、コストダウンも可能になる。
【００８６】
以上、図２と図３を参照して、ピックアップ装置１３の往路の部分の構成例について説明した。次に、このピックアップ装置１３の往路の部分の動作について説明する。
【００８７】
上述したように、制御部１７は、ディスクドライブ装置１（図１）に現在装着されている光ディスクがCD、DVD、および、Blu-rayのうちのいずれであるのかを認識し、その認識結果を光源１０１とビーム径変換素子駆動部１０７とに供給する。
【００８８】
具体的には例えばいま、ディスクドライブ装置１（図１）に現在装着されている光ディスクがCDまたはDVDであるという認識結果が制御部１７から供給されてきたとする。
【００８９】
この場合、ビーム径変換素子駆動部１０７は、コリメータレンズ１０２から対物レンズ１０３までの光路１０５外の第１の位置（図２に示される位置）までビーム径変換素子１０６を駆動する。また、光源１０１は、赤外色または赤色のレーザ光を出射する。
【００９０】
これにより、光源１０１から出射された赤外色または赤色のレーザ光は、コリメータレンズ１０２と対物レンズ１０３を介して（ビーム径変換素子１０６を介さずに）、CDまたはDVDの信号記録面上に集光される。
【００９１】
ここで注目すべき点は、次の点である。即ち、上述したように、ピックアップ装置１３の多波長域共通光学系（往路である光路１０４と光路１０５を含む光学系）はここでは、CD/DVDにとって最適な倍率となるように形成されている。従って、いまの場合、ビーム径変換素子１０６は多波長域共通光学系の外部の位置（図２に示される位置）に存在するので、この多波長域共通光学系における倍率は、現在装着されているCDまたはDVDにとって最適な倍率になっている点である。
【００９２】
その後例えば、今度は、ディスクドライブ装置１（図１）に現在装着されている光ディスクがBlu-rayであるという認識結果が制御部１７から供給されてきたとする。
【００９３】
この場合、ビーム径変換素子駆動部１０７は、コリメータレンズ１０２から対物レンズ１０３までの光路１０５内の第２の位置（図３に示される位置）までビーム径変換素子１０６を駆動する。また、光源１０１は、青紫色のレーザ光を出射する。
【００９４】
これにより、光源１０１から出射された青紫色のレーザ光は、コリメータレンズ１０２を介してビーム径変換素子１０６に入力され、そこでビーム径が変換された後、対物レンズ１０３を介してBlu-rayの信号記録面上に集光される。
【００９５】
ここで注目すべき点は、図３においては、ピックアップ装置１３の多波長域共通光学系の光路１０５内の第２の位置にはビーム径変換素子１０６が配置されているので、その倍率が（図２の場合の倍率に対して）変化している点である。即ち、図２の状態では、CD/DVDにとって最適な往路の倍率が得られていたが、図３の状態に遷移することで、ディスクドライブ装置１に現在装着されているBlu-rayにとって最適な往路の倍率が得られるように変化する点である。
【００９６】
以上、図２と図３を参照して、本実施の形態のピックアップ装置１３の往路の部分についての構成と動作について説明した。
【００９７】
なお、本実施の形態のピックアップ装置１３の復路の部分の構成や動作については、従来と基本的に同様とすることができるので、ここではその説明については省略する（図示もしない）。
【００９８】
また、図２や図３の例では、ピックアップ装置１３の往路の部分のうちの、多波長域共通光学系と倍率変換機能とを実現するために必要な部品のみが図示されており、その他の部品の図示は省略されている。従って、当然ながら、実際のピックアップ装置１３の往路の部分には、図２や図３に図示されている部品以外の部品（例えば、光路１０５中に設けられる反射板やその他のレンズ等）も搭載されることが多々ある。
【００９９】
ところで、図２や図３の例では、ビーム径変換素子駆動部１０７は、光路１０５（正確には上述した第２の位置）における光軸方向に対して略垂直な方向にビーム径変換素子１０６を水平移動させているが、ビーム径変換素子１０６の駆動形態（その駆動方法や移動方向等）は特に限定されない。即ち、ビーム径変換素子駆動部１０７は、ビーム径変換素子１０６を光路１０５の内外に出し入れできる形態であれば特に限定されず、様々な形態を取ることができる。
【０１００】
ただし、本発明の目的のひとつは、ピックアップ装置１３の小型化、ひいてはそれを搭載するディスクドライブ装置１の子が方かであるため、ビーム径変換素子駆動部１０７自体も可能な限り小型化されるとよい。このような小型化が可能なビーム径変換素子駆動部１０７の３つの実施の形態（以下、第１実施形態乃至第３実施形態のそれぞれと称する）が図４以降の図面に示されている。
【０１０１】
そこで、以下、図４以降の図面を参照して、ビーム径変換素子駆動部１０７の第１実施形態乃至第３実施形態のそれぞれについてその順番に個別にしていく。即ち、はじめに、図４乃至図１１を参照して、第１実施形態のビーム変換素子駆動部１０７について説明する。次に、図１２乃至図１５を参照して、第２実施形態のビーム径変換素子駆動部１０７について説明する。そして最後に、図１６乃至図１９を参照して、第３実施形態のビーム径変換素子について説明する。
【０１０２】
図４乃至図８は、第１実施形態のビーム径変換素子駆動部１０７の構成例を示している。
【０１０３】
なお、図４乃至図８に示されるx,y,z軸は、ここでは次のように定義されている。即ち、図２と図３におけるコリメータレンズ１０２から対物レンズ１０３までの光路１０５における光学軸と平行な軸がx軸とされている。より正確には、光路１０５の光学軸は反射板等が設けられると必ずしも一方向で形成されないので、光路１０５のうちの、ビーム径変換素子１０６が配置される第２の位置（図３に示される位置）における光学軸と水平な軸がｘ軸とされている。そして、x軸の正方向はコリメータレンズ１０２から対物レンズ１０３に向かう方向とされている。
【０１０４】
また、以下、ｘ軸の負方向に向かってビーム径変換素子駆動部１０７を見た場合に目に映る面を正面と称する。従って、この場合、図４は、第１実施形態のビーム径変換素子駆動部１０７の正面側の斜視図であると言える。同様に、図５は、第１実施形態のビーム径変換素子駆動部１０７の背面側の斜視図であると言える。図６は、第１実施形態のビーム径変換素子駆動部１０７の左側面図であると言える。図７は、第１実施形態のビーム径変換素子駆動部１０７の正面図であると言える。図８は、第１実施形態のビーム径変換素子駆動部１０７の上面図であると言える。なお、ここでいう正面、側面、および上面は、即ち、ここでいう上下左右は、説明の便宜上定義した上下左右であり、実際の上下左右と必ずしも一致しないことは言うまでもない。
【０１０５】
図４乃至図８に示されるように、第１実施形態のビーム径変換素子駆動部１０７は、ビーム径変換素子保持部材２０１乃至ストッパー２０６から構成される。なお、より正確には、後述するように（図８乃至図１１参照）、移動台２０３はx軸に略平行に（レール２０５Ａ，２０５Ｂに沿って）移動する。このため、図示はされていないが、この移動台２０３を駆動する駆動機構（以下、移動台駆動部と称する）が、第１実施形態のビーム径変換素子駆動部１０７にさらに設けられることなる。
【０１０６】
ビーム径変換素子保持部材２０１は、例えば直方体状の部材であり、その直方体のうちの正面から背面に向かってビーム径変換素子１０６が貫通され固定されている。ビーム径変換素子保持部材２０１にはまた、その下面の左端部（図４中）にビーム径変換素子回転部材２０２が接続されている。
【０１０７】
なお、ビーム径変換素子保持部材２０１は、ビーム径変換素子１０６の一構成要素であると捉えることもできる。
【０１０８】
ビーム径変換素子回転部材２０２は、例えばバネ等の弾性体で構成され、その上端部にはビーム径変換素子保持部材２０１が接続され、その下端部には移動台２０３が接続されている。
【０１０９】
これにより、ビーム径変換素子保持部材２０１の正面にビーム径変換素子押出部材２０４が接触していない状態では（図４乃至図８に示される状態では）、ビーム径変換素子回転部材２０２の付勢力（x軸の正方向への力）により、ビーム径変換素子保持部材２０１は、その正面がy軸と略平行となるように保持される。このとき、ビーム径変換素子保持部材２０１により保持されたビーム径変換素子１０６の中心が光軸（図２や図３の対物レンズ１０２から出射された光束の中心）と略一致するようになされている。即ち、図４乃至図８に示される状態では、ビーム径変換素子１０６は、図３の光路１０５内の上述した第２の位置に配置されることになる。
【０１１０】
一方、後述するように、ビーム径変換素子保持部材２０１の正面にビーム径変換素子押出部材２０４が接触すると、ビーム径変換素子押出部材２０４によるｘ軸の負方向への力が、ビーム径変換素子保持部材２０１の正面に加えられる（後述する図９乃至図１１参照）。即ち、ビーム径変換素子回転部材２０２の付勢力に抗した力が加えられる。これにより、ビーム径変換素子保持部材２０１は、ｚ軸と略平行な仮想軸Ａを中心としてx-y平面上において反時計方向に回動することになる。
【０１１１】
そして、ビーム径変換素子保持部材２０１が略９０度回動すると、即ち、後述する図１１の状態になると、ビーム径変換素子保持部材２０１に保持されたビーム径変換素子１０６は、図２の光路１０５外の上述した第１の位置に配置されることになる。
【０１１２】
その後、ビーム径変換素子保持部材２０１の正面からビーム径変換素子押出部材２０４が離間されると、ビーム径変換素子回転部材２０２の復元力により、ビーム径変換素子保持部材２０１は、今度は逆方向に、即ち、仮想軸Ａを中心としてx-y平面上において時計方向に回動していく（後述する図１１乃至図８の順番で状態が遷移していく）。従って、ビーム径変換素子１０６は、図３の光路１０５内の上述した第２の位置に再度配置されることになる。
【０１１３】
ところで、移動台２０３の上面には、上述したように、ビーム径変換素子回転部材２０２が接続されている。換言すると、移動台２０３は、ビーム径変換素子回転部材２０２を介して、ビーム径変換素子保持部材２０１の配置状態を後述する図８乃至図１１に示されるような各状態で保持する。
【０１１４】
また、移動台２０３の正面から背面には、x軸に略平行に敷設されたレール２０５Ａ，２０５Ｂが貫通している。これにより、移動台２０３は、このレール２０５Ａ，２０５Ｂに沿って、ｘ軸と略平行に（図２や図３の光路１０５における光軸と略平行に）移動することができる。
【０１１５】
なお、繰り返しになるが、実際には、図示せぬ移動台駆動部が、制御部１７の制御に基づいて、移動台２０３を上述したように移動させる（駆動する）ことになる。
【０１１６】
ビーム径変換素子押出部材２０４は、例えばＬ字状の部材で構成され、次のような位置に配置される。即ち、移動台２０３の移動前の状態（図４乃至図８の状態）では、そのＬ字の先端部がビーム径変換素子保持部材２０１の正面と接触しない位置であって、移動台２０３がx軸の正方向と略平行に移動してきた場合には、そのＬ字の先端部がビーム径変換素子保持部材２０１の正面を押し出す（x軸の負方向への力を加える）位置に、ビーム径変換素子押出部材２０４が配置される。
【０１１７】
また、移動台２０３の上面にはさらにストッパー２０６が設けられている。このストッパー２０６は、ビーム径変換素子保持部材２０１の正面にビーム径変換素子押出部材２０４が接触していない状態（図４乃至図８に示される状態）のとき、ビーム径変換素子保持部材２０１の配置位置を固定する。即ち、ビーム径変換素子回転部材２０２の復元力により、仮想軸Ａを中心としてx-y平面上において時計方向にビーム径変換素子保持部材２０１が回動し過ぎないように、ストッパー２０６が設けられているのである。
【０１１８】
以上、図４乃至図８を参照して、第１実施形態のビーム径変換素子駆動部１０７の構成例について説明した。
【０１１９】
なお、上述した例では、移動台２０３が移動してビーム径変換素子押出部材２０４が固定されるように構成しているが、その逆の構成でもよい。即ち、移動台２０３が固定されてビーム径変換素子押出部材２０４が移動されるように構成してもよい。
【０１２０】
次に、図８乃至図１１を参照して、第１実施形態のビーム径変換素子駆動部１０７の動作について説明する。
【０１２１】
なお、図９乃至図１１も、図８に対応させて、第１実施形態のビーム径変換素子駆動部１０７の上面図を表している。即ち、図８乃至図１１のそれぞれは、移動台２０３の各移動位置のそれぞれにおける、第１実施形態のビーム径変換素子駆動部１０７のそれぞれの配置状態を示す上面図であると言える。
【０１２２】
上述したように、図２と図３の制御部１７は、図１のディスクドライブ装置１に現在装着されている光ディスクがCD、DVD、および、Blu-rayのうちのいずれであるのかを認識し、その認識結果を光源１０１とビーム径変換素子駆動部１０７とに供給する。
【０１２３】
例えばいま、ディスクドライブ装置１（図１）に現在装着されている光ディスクがCDまたはDVDであるという認識結果が制御部１７から供給されてきたとする。
【０１２４】
この場合、上述したように、ビーム径変換素子駆動部１０７は、コリメータレンズ１０２から対物レンズ１０３までの光路１０５外の第１の位置（図２に示される位置）にビーム径変換素子１０６を駆動することになる。
【０１２５】
より詳細には、例えばいま、初期状態が図８の状態であるとする。即ち、ビーム径変換素子１０６が、光路１０５内の第２の位置（図３に示される位置）に配置されているとする。
【０１２６】
この場合、ディスクドライブ装置１（図１）に現在装着されている光ディスクがCDまたはDVDであるという認識結果は、第１実施形態のビーム径変換素子駆動部１０７のうちの図示せぬ移動台駆動部に供給される。
【０１２７】
すると、移動台駆動部は、レール２０５Ａ，２０５Ｂに沿って、ｘ軸の正方向と略平行に移動台２０３を移動させていく。
【０１２８】
移動台２０３がある程度移動すると、図９に示されるように、ビーム径変換素子保持部材２０１の正面にビーム径変換素子押出部材２０４が接触する。
【０１２９】
そして、移動台２０３がさらに移動すると、ビーム径変換素子押出部材２０４によるｘ軸の負方向への力が、ビーム径変換素子保持部材２０１の正面に加えられる。すると、図１０に示されるように、ビーム径変換素子保持部材２０１は、仮想軸Ａを中心としてx-y平面上において反時計方向に回動していく。
【０１３０】
移動台２０３がさらに移動していくと、図１１に示されるように、ビーム径変換素子保持部材２０１は略９０度だけ回動する。これにより、ビーム径変換素子保持部材２０１に保持されたビーム径変換素子１０６は、図２の光路１０５外の上述した第１の位置に配置されることになる。
【０１３１】
その後、例えば、ディスクドライブ装置１（図１）に現在装着されている光ディスクがBlu-rayであるという認識結果が制御部１７から供給されてきたとする。
【０１３２】
この場合、上述したように、ビーム径変換素子駆動部１０７は、コリメータレンズ１０２から対物レンズ１０３までの光路１０５内の第２の位置（図３に示される位置）にビーム径変換素子１０６を駆動することになる。
【０１３３】
より詳細には、ディスクドライブ装置１（図１）に現在装着されている光ディスクがBlu-rayであるという認識結果は、第１実施形態のビーム径変換素子駆動部１０７のうちの図示せぬ移動台駆動部に供給される。
【０１３４】
すると、移動台駆動部は、レール２０５Ａ，２０５Ｂに沿って、今度はｘ軸の負方向と略平行（上述した方向と逆方向）に移動台２０３を移動させていく。
【０１３５】
これにより、今度は図１１乃至図９の順番で、ビーム径変換素子保持部材２０１は、仮想軸Ａを中心としてx-y平面上において時計方向（上述した方向と逆方向）に回動していくことになる。
【０１３６】
そして、最終的には、図８に示されるように、ビーム径変換素子保持部材２０１の正面からビーム径変換素子押出部材２０４が離間される。これにより、ビーム径変換素子保持部材２０１は、その正面がy軸と略平行となるように配置される。即ち、ビーム径変換素子保持部材２０１に保持されたビーム径変換素子１０６は、図３の光路１０５内の上述した第２の位置に再度配置されることになる。
【０１３７】
以上、図４乃至図１１を参照して、第１実施形態のビーム変換素子駆動部１０７の構成例と動作例について説明した。
【０１３８】
このように、ビーム変換素子駆動部１０７の第１実施形態とは、結局、図２と図３のコリメータレンズ１０２から対物レンズ１０３までの光路１０５内のビーム径変換素子１０６が配置される第２の位置（図３に示される位置）における光学軸方向（図４乃至図１１の例では、x軸に略平行な方向）に対して略垂直な軸（図４乃至図１１の例では、軸Ａ）を中心として、ビーム径変換素子１０６を回動させることで、ビーム径変換素子１０６の配置位置を、光路１０５外の第１の位置（図２に示される位置）と光路１０５内の第２の位置とのうちの一方から他方へ移動させる実施の形態であると言える。
【０１３９】
これに対して、これから説明するビーム変換素子駆動部１０７の第２実施形態や第３実施形態とは、光路１０５内の第２の位置における光学軸方向とは異なる方向にビーム径変換素子１０６を平行移動させることで、ビーム径変換素子１０６の配置位置を、光路１０５外の第１の位置と光路１０５内の第２の位置とのうちの一方から他方へ移動させる実施の形態である。
【０１４０】
以下、図１２乃至図１５を参照して、このような実施の形態のうちの第２実施形態のビーム径変換素子駆動部１０７について説明する。
【０１４１】
図１２と図１３は、第２実施形態のビーム径変換素子駆動部１０７の構成例を示している。
【０１４２】
なお、図１２と図１３に示されるx,y,z軸は、第１実施形態と同様（図４等と同様）に次のように定義されている。即ち、図２と図３におけるコリメータレンズ１０２から対物レンズ１０３までの光路１０５内の、ビーム径変換素子１０６が配置される第２の位置（図３に示される位置）における光学軸と水平方向の軸がx軸とされている。そして、x軸の正方向はコリメータレンズ１０２から対物レンズ１０３に向かう方向とされている。
【０１４３】
また、第２実施形態においても、ｘ軸の負方向に向かってビーム径変換素子駆動部１０７を見た場合に目に映る面を正面と称する。従って、この場合、図１２は、第２実施形態のビーム径変換素子駆動部１０７の正面側の斜視図であると言える。また、図１３は、第２実施形態のビーム径変換素子駆動部１０７の上面図であると言える。なお、第２実施形態の説明で使用する上下左右も、第１実施形態と同様に、実際の上下左右と必ずしも一致しないことは言うまでもない。
【０１４４】
図１２と図１３に示されるように、第２実施形態のビーム径変換素子駆動部１０７は、ビーム径変換素子保持部材３０１乃至ステッピングモータ３０４から構成される。なお、より正確には、図示はされていないが、ステッピングモータ３０４を駆動する駆動機構（以下、ドライブ装置と称する）が、第２実施形態のビーム径変換素子駆動部１０７にさらに設けられることなる。
【０１４５】
ビーム径変換素子保持部材３０１は、例えば直方体状の部材であり、その直方体のうちのｘ軸に略平行な側面には、円筒状のビーム径変換素子１０６が固定接続されている。また、ビーム径変換素子保持部材３０１の正面の右端部は、スクリューネジ３０２に螺合している。
【０１４６】
このスクリューネジ３０２の軸とステッピングモータ３０４の軸には減速ギア３０３が接続されている。
【０１４７】
ステッピングモータ３０４は、デジタル制御可能な高精度の位置決め用モータであり、入力信号（一般的には、パルス信号）に同期かつ比例して所定のステップ角毎に回転することで、外部デバイスにトルクを与えることができる。なお、ここでは、外部デバイスとは、直接的には減速ギア３０３を指す。従って、減速ギア３０３に与えられたトルク（回転駆動力）は、スクリューネジ３０２において並行（直線）駆動力に変換され、その並行駆動力により、ｙ軸と略平行に所定の距離だけビーム径変換素子保持部材３０１が移動することになる。即ち、ビーム径変換素子保持部材３０１は、ステッピングモータ３０４の回転角度に対応する所定の距離だけｙ軸と略平行に移動することになる。
【０１４８】
なお、繰り返しになるが、実際には、図示せぬドライブ装置が、制御部１７の制御に基づいて、ステッピングモータ３０４を所定の方向に所定の角度だけ回転させることになる。
【０１４９】
以上、図１２と図１３を参照して、第２実施形態のビーム径変換素子駆動部１０７の構成例について説明した。
【０１５０】
次に、上述した図１２と図１３を含む図１２乃至図１５を参照して、第２実施形態のビーム径変換素子駆動部１０７の動作について説明する。
【０１５１】
なお、図１２と図１３のそれぞれは結局、ビーム径変換素子１０６が光路１０５内の第２の位置（図３に示される位置）に配置されている場合における、第２実施形態のビーム径変換素子駆動部１０７の斜視図と正面図のそれぞれであると言える。これに対して、図１４と図１５のそれぞれは、ビーム径変換素子１０６が光路１０５外の第１の位置（図２に示される位置）に配置されている場合における、第２実施形態のビーム径変換素子駆動部１０７の斜視図と正面図のそれぞれである。
【０１５２】
上述したように、図２と図３の制御部１７は、図１のディスクドライブ装置１に現在装着されている光ディスクがCD、DVD、および、Blu-rayのうちのいずれであるのかを認識し、その認識結果を光源１０１とともにビーム径変換素子駆動部１０７に供給する。
【０１５３】
例えばいま、ディスクドライブ装置１（図１）に現在装着されている光ディスクがCDまたはDVDであるという認識結果が制御部１７から供給されてきたとする。
【０１５４】
この場合、上述したように、ビーム径変換素子駆動部１０７は、コリメータレンズ１０２から対物レンズ１０３までの光路１０５外の第１の位置（図２に示される位置）にビーム径変換素子１０６を駆動することになる。
【０１５５】
より詳細には、例えばいま、初期状態（ビーム径変換素子１０６の移動前の状態）が図１２と図１３の状態であるとする。即ち、ビーム径変換素子１０６が、光路１０５内の第２の位置（図３に示される位置）に配置されているとする。
【０１５６】
この場合、ディスクドライブ装置１（図１）に現在装着されている光ディスクがCDまたはDVDであるという認識結果は、第２実施形態のビーム径変換素子駆動部１０７のうちの図示せぬドライブ装置に供給される。
【０１５７】
すると、ドライブ装置は、ステッピングモータ３０４を予め決められた方向（第１の方向）に予め決められた角度だけ回転させる。
【０１５８】
これにより、ビーム径変換素子保持部３０１は、ｙ軸の負方向と略平行に平行移動していく。即ち、ビーム径変換素子保持部３０１に保持されたビーム径変換素子１０６は、ｙ軸の負方向と略平行に平行移動していく。そして、最終的には、図１４と図１５に示されるように、ビーム径変換素子１０６は、光路１０５外の第１の位置（図２に示される位置）まで移動して停止することになる。
【０１５９】
その後、例えば、ディスクドライブ装置１（図１）に現在装着されている光ディスクがBlu-rayであるという認識結果が制御部１７から供給されてきたとする。
【０１６０】
この場合、上述したように、ビーム径変換素子駆動部１０７は、コリメータレンズ１０２から対物レンズ１０３までの光路１０５内の第２の位置（図３に示される位置）にビーム径変換素子１０６を駆動することになる。
【０１６１】
より詳細にはここでは、ディスクドライブ装置１（図１）に現在装着されている光ディスクがBlu-rayであるという認識結果は、第２実施形態のビーム径変換素子駆動部１０７のうちの図示せぬドライブ装置に供給される。
【０１６２】
すると、ドライブ装置は、ステッピングモータ３０４を予め決められた方向（上述した第１の方向と逆方向の第２の方向）に予め決められた角度（上述した第１の方向に回転される場合の角度と基本的に同一角度）だけ回転させる。
【０１６３】
これにより、ビーム径変換素子保持部３０１は、今度は、ｙ軸の正方向（逆方向）と略平行に平行移動していく。即ち、ビーム径変換素子保持部３０１に保持されたビーム径変換素子１０６は、ｙ軸の正方向と略平行に平行移動していく。そして、最終的には、図１２と図１３に示されるように、ビーム径変換素子１０６は、光路１０５内の第２の位置（図３に示される位置）まで再度移動して停止することになる。
【０１６４】
以上、図１２乃至図１５を参照して、第２実施形態のビーム変換素子駆動部１０７の構成例と動作例について説明した。
【０１６５】
次に、図１６乃至図１９を参照して、第３実施形態のビーム径変換素子駆動部１０７について説明する。
【０１６６】
図１６と図１７は、第３実施形態のビーム径変換素子駆動部１０７の構成例を示している。
【０１６７】
なお、図１６と図１７に示されるx,y,z軸は、第１実施形態や第２実施形態と同様（図４や図１２等と同様）に次のように定義されている。即ち、図２と図３におけるコリメータレンズ１０２から対物レンズ１０３までの光路１０５内の、ビーム径変換素子１０６が配置される第２の位置（図３に示される位置）における光学軸と略平行な軸がx軸とされている。そして、x軸の正方向はコリメータレンズ１０２から対物レンズ１０３に向かう方向とされている。
【０１６８】
また、第３実施形態においても、ｘ軸の負方向に向かってビーム径変換素子駆動部１０７を見た場合に目に映る面を正面と称する。従って、この場合、図１６は、第３実施形態のビーム径変換素子駆動部１０７の正面側の斜視図であると言える。また、図１７は、第３実施形態のビーム径変換素子駆動部１０７の上面図であると言える。なお、第３実施形態の説明で使用する上下左右も、第１実施形態や第２実施形態と同様に、実際の上下左右と必ずしも一致しないことは言うまでもない。
【０１６９】
図１６と図１７に示されるように、第３実施形態のビーム径変換素子駆動部１０７は、ビーム径変換素子保持部材４０１乃至プランジャ４０３から構成される。なお、より正確には、図示はされていないが、プランジャ４０３の軸４０３Ａを駆動する駆動機構（以下、プランジャ軸駆動部と称する）がさらに設けられる。例えば、プランジャ４０３が電磁プランジャで構成される場合には、プランジャ軸駆動部は、プランジャ４０３に設けられている図示せぬ電磁石に対して電流を流したり止める制御（オンオフ制御）を行う電流出力装置から構成される。
【０１７０】
ビーム径変換素子保持部材４０１は、例えば直方体状の部材であり、その直方体のうちのｘ軸に略平行な側面には、円筒状のビーム径変換素子１０６が固定接続されている。また、ビーム径変換素子保持部材４０１の上面の図１６中右端部近傍には突起部４０１Ａが形成されている。
【０１７１】
Ｌ字部材４０２は、そのＬ字のうちの一方の端側に開口部４０２Ａが形成され、他方の端側に突起部４０２Ｂが形成されている。このＬ字部材４０２の開口部４０２Ａ内には、ビーム径変換素子保持部材４０１の突起部４０１Ａが組み込まれている。一方、プランジャ４０３の軸４０３Ａに設けられた開口部内には、このＬ字部材４０２の突起部４０２Ｂが組み込まれている。
【０１７２】
プランジャ４０３は、例えば電磁プランジャで構成され、Ｌ字部材４０２の突起部４０２Ｂが組み込まれた軸４０３Ａの他、図示はしないが、その内部には永久磁石や電磁石も設けられている。
【０１７３】
このプランジャ４０３において、電磁石に電流が流れていない状態では、永久磁石により軸４０３Ａがラッチ（保持）される。即ち、軸４０３（Ｌ次部材４０２を介して接続されているビーム径変換素子保持部材４０１）の配置状態は、後述する図１８や図１９に示される状態となる。
【０１７４】
これに対して、電磁石に電流が流れると逆向きに磁力がかかり、その結果、電磁石による磁力が打ち消されて、軸４０３Ａのラッチが解除される。即ち、軸４０３Ａ（Ｌ字部材４０２を介して接続されているビーム径変換素子保持部材４０１）の配置状態は、現在説明している図１６や図１７に示される状態となる。
【０１７５】
なお、繰り返しになるが、実際には、図示せぬプランジャ軸駆動部が、制御部１７の制御に基づいて、プランジャ４０３内の電磁石に対する電流のオンオフ制御を行うことになる。
【０１７６】
以上、図１６と図１７を参照して、第３実施形態のビーム径変換素子駆動部１０７の構成例について説明した。
【０１７７】
次に、上述した図１６と図１７を含む図１６乃至図１９を参照して、第３実施形態のビーム径変換素子駆動部１０７の動作について説明する。
【０１７８】
なお、図１６と図１７のそれぞれは結局、ビーム径変換素子１０６が光路１０５内の第２の位置（図３に示される位置）に配置されている場合における、第３実施形態のビーム径変換素子駆動部１０７の斜視図と上面図のそれぞれであると言える。これに対して、図１８と図１９のそれぞれは、ビーム径変換素子１０６が光路１０５外の第１の位置（図２に示される位置）に配置されている場合における、第３実施形態のビーム径変換素子駆動部１０７の斜視図と上面図のそれぞれである。
【０１７９】
上述したように、図２と図３の制御部１７は、図１のディスクドライブ装置１に現在装着されている光ディスクがCD、DVD、および、Blu-rayのうちのいずれであるのかを認識し、その認識結果を光源１０１とともにビーム径変換素子駆動部１０７に供給する。
【０１８０】
例えばいま、ディスクドライブ装置１（図１）に現在装着されている光ディスクがCDまたはDVDであるという認識結果が制御部１７から供給されてきたとする。
【０１８１】
この場合、上述したように、ビーム径変換素子駆動部１０７は、コリメータレンズ１０２から対物レンズ１０３までの光路１０５外の第１の位置（図２に示される位置）にビーム径変換素子１０６を駆動することになる。
【０１８２】
より詳細には、例えばいま、初期状態（ビーム径変換素子１０６の移動前の状態）が図１６と図１７の状態であるとする。即ち、ビーム径変換素子１０６が、光路１０５内の第２の位置（図３に示される位置）に配置されているとする。
【０１８３】
この場合、ディスクドライブ装置１（図１）に現在装着されている光ディスクがCDまたはDVDであるという認識結果は、第３実施形態のビーム径変換素子駆動部１０７のうちの図示せぬプランジャ軸駆動部に供給される。
【０１８４】
すると、プランジャ軸駆動部は、プランジャ４０３内の電磁石に流れている電流を止める（オフ制御を行う）。
【０１８５】
これにより、プランジャ４０３の軸４０３Ａがラッチされて、その軸４０３Ａはｘ軸の正方向と略平行な方向に移動する（引っ張り込まれる）。このような軸４０３Ａの移動に伴い、Ｌ字部材４０２を介して軸４０３Ａと接続されているビーム径変換素子保持部４０１は、ｙ軸の負方向と略平行に平行移動していく。即ち、ビーム径変換素子保持部４０１に保持されたビーム径変換素子１０６は、ｙ軸の負方向と略平行に平行移動していく。そして、最終的には、図１８と図１９に示されるように、ビーム径変換素子１０６は、光路１０５外の第１の位置（図２に示される位置）まで移動して停止することになる。
【０１８６】
その後、例えば、ディスクドライブ装置１（図１）に現在装着されている光ディスクがBlu-rayであるという認識結果が制御部１７から供給されてきたとする。
【０１８７】
この場合、上述したように、ビーム径変換素子駆動部１０７は、コリメータレンズ１０２から対物レンズ１０３までの光路１０５内の第２の位置（図３に示される位置）にビーム径変換素子１０６を駆動することになる。
【０１８８】
より詳細にはここでは、ディスクドライブ装置１（図１）に現在装着されている光ディスクがBlu-rayであるという認識結果は、第３実施形態のビーム径変換素子駆動部１０７のうちの図示せぬプランジャ軸駆動部に供給される。
【０１８９】
すると、プランジャ軸駆動部は、プランジャ４０３内の電磁石に電流を流す（オン制御を行う）。
【０１９０】
これにより、プランジャ４０３の軸４０３Ａのラッチが解除されて、その軸４０３Ａはｘ軸の負方向と略平行な方向に移動する（押し出される）。軸４０３Ａのこのような移動に伴い、Ｌ字部材４０２を介して軸４０３Ａと接続されているビーム径変換素子保持部４０１は、今度は、ｙ軸の正方向（軸４０３Ａがラッチされた場合とは逆方向）と略平行に平行移動していく。即ち、ビーム径変換素子保持部４０１に保持されたビーム径変換素子１０６は、ｙ軸の正方向と略平行に平行移動していく。そして、最終的には、図１６と図１７に示されるように、ビーム径変換素子１０６は、光路１０５内の第２の位置（図３に示される位置）まで再度移動して停止することになる。
【０１９１】
以上、図１６乃至図１９を参照して、第３実施形態のビーム径変換素子駆動部１０７の構成例と動作例について説明した。
【０１９２】
ところで、本発明は、上述したCD，DVD，Blu-ray以外の光ディスクにも適用可能である。即ち、上述したCD，DVD，Blu-ray以外の光ディスクの記録や再生を行うディスクドライブ装置にも適用可能である。さらに、本発明は、光ディスク以外にも光磁気ディスク等の光学ディスク、或いはこれら光学ディスクがディスクカートリッジに収納されたものに対して情報信号の記録や再生を行うディスクドライブ装置にも適用可能である。
【０１９３】
また、本発明は、上述した図１に示されるような、ディスクトレイ１１にディスクドライブユニットが取り付けられたトレイ型のディスクドライブ装置１に限らず、筐体の前面に設けられたディスク挿脱口から光学ディスクが挿脱されるスロットイン型のディスクドライブ装置（図示せず）にも適用可能である。
【図面の簡単な説明】
【０１９４】
【図１】本発明が適用されるディスクドライブ装置の外観の構成例を示す斜視図である。
【図２】図１のディスクドライブ装置に搭載されたピックアップ装置、即ち、本発明が適用されるピックアップ装置の往路の部分の構成例を示す図である。
【図３】図１のディスクドライブ装置に搭載されたピックアップ装置、即ち、本発明が適用されるピックアップ装置の往路の部分の構成例を示す図である。
【図４】図２と図３のピックアップ装置のビーム径変換素子駆動部の外観の構成例を示す正面側の斜視図である。
【図５】図４のビーム径変換素子駆動部の背面側の斜視図である。
【図６】図４のビーム径変換素子駆動部の左側面図である。
【図７】図４のビーム径変換素子駆動部の正面図である。
【図８】図４のビーム径変換素子駆動部の上面図であって、その動作を説明する図である。
【図９】図４のビーム径変換素子駆動部の動作を説明する上面図である。
【図１０】図４のビーム径変換素子駆動部の動作を説明する上面図である。
【図１１】図４のビーム径変換素子駆動部の動作を説明する上面図である。
【図１２】図２と図３のピックアップ装置のビーム径変換素子駆動部の外観の構成の他の例を示すとともに、その動作を説明する正面側の斜視図である。
【図１３】図１２のビーム径変換素子駆動部の上面図である。
【図１４】図１１と図１２のピックアップ装置のビーム径変換素子駆動部の動作を説明する正面側の斜視図である。
【図１５】図１４のビーム径変換素子駆動部の上面図である。
【図１６】図２と図３のピックアップ装置のビーム径変換素子駆動部の外観の構成のさらに他の例を示すとともに、その動作を説明する正面側の斜視図である。
【図１７】図１６のビーム径変換素子駆動部の上面図である。
【図１８】図１５と図１６のビーム径変換素子駆動部の動作を説明する正面側の斜視図である。
【図１９】図１８のビーム径変換素子駆動部の上面図である。
【符号の説明】
【０１９５】
１  ディスクドライブ装置，  １３ピックアップ装置，  １０１  光源、  １０２  コリメータレンズ，  １０３  対物レンズ，  １０４，１０５  光路，  １０６  ビーム径変換素子，  １０７  ビーム径変換素子駆動部，  ２０１  ビーム径変換素子保持部材，  ２０２  ビーム径変換素子回転部材，  ２０３  移動台，  ２０４  ビーム径変換素子押出部材，  ２０５Ａ，２０５Ｂ  レール，  ３０１  ビーム径変換素子保持部材，  ３０２  スクリューネジ，  ３０３  減速ギア，  ３０４  ステッピングモータ，  ４０１  ビーム径変換素子保持部材，  ４０１Ａ  開口部，  ４０２  Ｌ字部材，  ４０３  プランジャ，  ４０３Ａ  プランジャの軸，  Ａ  回転軸
【図１】
2005327384.tif 000003
【図２】
2005327384.tif 000004
【図３】
2005327384.tif 000005
【図４】
2005327384.tif 000006
【図５】
2005327384.tif 000007
【図６】
2005327384.tif 000008
【図７】
2005327384.tif 000009
【図８】
2005327384.tif 000010
【図９】
2005327384.tif 000011
【図１０】
2005327384.tif 000012
【図１１】
2005327384.tif 000013
【図１２】
2005327384.tif 000014
【図１３】
2005327384.tif 000015
【図１４】
2005327384.tif 000016
【図１５】
2005327384.tif 000017
【図１６】
2005327384.tif 000018
【図１７】
2005327384.tif 000019
【図１８】
2005327384.tif 000020
【図１９】
2005327384.tif 000021